(57)【要約】【課題】発色剤と顕色剤との化学反応による発色によらず、複写を行うことのできる複写用シートを提供すること。【解決手段】基材と、基材上に形成された有色層を有する複写用シートであって、前記有色層上には、加圧されることで該加圧箇所が透視可能となる白色発泡層が形成されている。【選択図】図１
2009226668.tif 000002
【特許請求の範囲】
【請求項１】
基材と、基材上に形成された有色層を有する複写用シートであって、
前記有色層上には、加圧されることで該加圧箇所が透視可能となる白色発泡層が形成されていることを特徴とする複写用シート。
【請求項２】
前記白色発泡層が、変性スチレン又はアクリルを主成分とする中空粒子エマルション及び熱膨張性カプセルの少なくとも一方からなることを特徴とする請求項１に記載の複写用シート。
【請求項３】
前記有色層が、前記基板上に所定の間隔をあけて配されていることを特徴とする請求項１又は２に記載の複写用シート。
【請求項４】
前記有色層が、少なくとも２種以上の色彩を有しており、連続又は所定の間隔をあけて配されていることを特徴とする請求項１乃至３の何れか１項に記載の複写用シート。
【請求項５】
前記白色発泡層上には保護層が形成されていることを特徴とする請求項１乃至４のいずれか１項に記載の複写用シート。
【請求項６】
複数枚の複写用シートを重ねてなる複写用シートセットであって、
前記複数枚のシートのうち、最表面に位置する複写用シート以外の少なくとも１の複写用シートが、前記請求項１乃至５のいずれか１項に記載の複写用シートであることを特徴とする複写用シートセット。
【発明の詳細な説明】
【技術分野】
【０００１】
本発明は、複写用シートに関する。
【背景技術】
【０００２】
従来、複写する側のシートの裏面に複写機構を設けた複写用シートセットや、複写する側のシートの裏面及び複写される側の表面に複写機構を設けた複写用シートセットが、宅配伝票や各種申込書等様々な分野で利用されている。このような複写用シートセットは、複写する側のシート表面を加圧することにより各種情報を複写される側のシートに複写することができる。
【０００３】
複写する側のシートの裏面に複写機構を設けた複写用シートセットとしては、カーボンインキを有する複写用シートセットが挙げられる。このような、カーボンインキを有する複写用シートセットは、図４（ａ）に示すように、裏面にワックス等を主成分としたカーボンインキ４２を設けた複写する側の複写用シート４１と複写される側の複写用シート４０とから構成され、複写する側の複写用シート４１表面に、各種情報を記入又は印字等することにより、複写する側の複写用シート４０は加圧され、加圧部４７に対応するカーボンインキ４２が複写される側の複写用シート４０の複写部４８に複写される。
【０００４】
しかしながら、上述のカーボンインキ４２を設けた複写用シートセットは、各種情報が複写される側の複写用シート４０へ複写された後も、複写する側の複写用シート４１裏面にはカーボンインキ４２が残存することから、カーボンインキ４２が他の媒体（用紙等）に接触した場合、当該媒体に再びカーボンインキ４２が複写されてしまうこととなる。したがって、複写する側の複写用シート４１を保管用として利用する場合、カーボンインキ４２が接触した媒体に再びカーボンインキ４２が複写されないように、複写する側の複写用シート４１をカーボンインキ面が内側になるように折りたたまなければならず、長期保管に適さないという問題が生じる。
【０００５】
かかる再複写及び長期保管性の問題を解決するために、近時、いわゆるノーカーボン紙と呼ばれ、図５（ａ）に示すように裏面に発色剤（ロイコ染料）を含むマイクロカプセル層５５を設けた複写する側の複写用シート５１と、表面に顕色剤を含む層５６を設けた複写される側の複写用シート５０から構成される複写用シートセット５９が知られている。（例えば、特許文献１）当該複写用シートセット５９によれば、図５（ｂ）に示すように、複写する側の複写用シート５１表面に各種情報を記入することで、複写する側の複写用シート５１及び複写される側の複写用シート５０が加圧され発色剤を含むマイクロカプセル層５５と顕色剤を含む層５６とが反応することで色を発色し、複写される側の複写用シート５１の複写部５８に情報の複写を行うことができる。
【０００６】
このような、ノーカーボン紙からなる複写用シートセット５９によれば、発色剤と顕色剤とが加圧により反応した場合にのみ色が発色されることから、上述のカーボンインキからなる複写用シートセット４９のように複写する側の複写用シート４１を必ずしも折り曲げて保管する必要はなく、長期保管性には適するという利点があるものの、色を発色させるためには発色剤を有する複写用シート５１と顕色剤を有する複写される側の複写用シート５０とを必ず一体として用いる必要があることから複写される側の複写用シート５０単体で用いることはできずコスト面及び利便性に問題が生じている。
【特許文献１】特開２００５−１８６４０９号公報
【発明の開示】
【発明が解決しようとする課題】
【０００７】
本発明はこのような状況に鑑みてなされたものであり、発色剤と顕色剤との化学反応による発色によらず、複写を行うことのできる複写用シートを提供することを主たる課題とする。
【課題を解決するための手段】
【０００８】
上記課題を解決するための本発明は、基材と、基材上に形成された有色層を有する複写用シートであって、前記有色層上には、加圧されることで該加圧部が透視可能となる白色発泡層が形成されていることを特徴とする。
【０００９】
また、前記白色発泡層が、変性スチレン又はアクリルを主成分とする中空粒子エマルション及び熱膨張性カプセルの少なくとも一方からなることとしてもよい。
【００１０】
また、前記有色層が、前記基板上に所定の間隔をあけて配されていてもよい。
【００１１】
また、前記有色層が、少なくとも２種以上の色彩を有しており、連続又は所定の間隔をあけて配されていてもよい。
【００１２】
また、前記白色発泡層上には保護層が形成されていてもよい。
【００１３】
また、上記課題を解決するための本発明は、複数枚の複写用シートを重ねてなる複写用シートセットであって、前記複数枚のシートのうち、最表面に位置する複写用シート以外の少なくとも１の複写用シートが、前記請求項１乃至５のいずれか１項に記載の複写用シートであることを特徴とする。
【発明の効果】
【００１４】
本発明によれば、有色層は白色発泡層に覆われており表面に露出しないためカーボンインキを有する複写用シートセットを用いたときに生ずる再複写が発生することはない。また、本発明は、従来のノーカーボン紙のように発色に発色剤と顕色剤の化学反応を必要としないことから、複写する側の複写用シート及び複写される側の複写用シート双方を用いることなく複写される側の複写用シートとして本発明のシートを利用するのみで足りる。
【発明を実施するための最良の形態】
【００１５】
以下、図面等を参照して、本発明の複写される側の複写用シートについて、さらに詳しく説明する。図１（ａ）は、本発明の複写される側の複写用シートの構成を示すものである。また、図１（ｂ）は複写される側の複写用シート１０を複写する側の複写用シート１１表面から加圧した場合の状態を示す図である。
【００１６】
図１（ａ）に示すように、本願発明の複写される側の複写用シート１０は、基材１２と基材上に形成された有色層１３上に、加圧されることで該加圧部分が透視可能となる白色発泡層１４が形成されている。また、複写用シート１０は複写する側の複写用シート１１と端部を剥離可能に固定等されることにより複写用シートセット１９を形成する。
【００１７】
本発明の複写される側の複写用シート１０は、加圧前には上層に白色の白色発泡層１４が形成されているため、使用前、つまり加圧されていない状態においては、有色層１３は視認することができず通常の紙と同様の外観を呈している。しかしながら、図１（ｂ）に示すように複写する側の複写用シート１１に筆記具等で文字等を記入すると、記入時の加圧により白色発泡層１４がつぶれ、加圧部１７に対応する白色発泡層１４が透視可能となり、これにより初めて有色層２１を視認することができる点に特徴を有する。したがって、複写用シートセット１９を構成する複写する側の複写シート１１は特に限定されず従来公知の紙などを適宜選択して用いることができる。
【００１８】
基材１２は、基材１２上に有色層１３又は白色発泡層１４を形成するための下地層として用いられるものであり、有色層１３及び白色発泡層１４を形成することができる基材１２であれば特に限定されることはなく、従来公知の基材１２を適宜選択して用いることができる。例えば、このような基材１２として
（一般上質紙、コート紙、合成紙、アルミ箔ラミネート紙の他プラスチックシートであるポリエチレンテレフタレート、ポリプロピレン、ポリカーボネート、セルローストリアセテート等からなる延伸、無延伸のシート紙、などが挙げられる。また、基材１２の厚みとしては特に限定されることはないが、２５μｍ〜２００μｍが一般的である。
【００１９】
有色層１３は、基材１２上に形成され、加圧部１７に対応する白色発泡層１４が透視可能となることで視認することができ複写される側の複写用シート１０への複写を可能せしめるために設けられる層であり、白色発泡層１４の下地層として用いられる。
【００２０】
有色層１３の色彩は、複写される側の複写用シート１０上に複写させる色彩に応じ適宜選択することができ、その色彩について特に限定はされず従来公知のインキ等を用いることができる。なお、メタリック色系や蛍光色系の有色層１３を基材１２上に形成し、該有色層１３上に白色発泡層１４を形成してなる複写される側の複写用シート１０を用いれば、従来の印刷技術では複写用シート１０上に複写する色彩として困難であるメタリック色系や蛍光色系の色彩による複写等も容易に行うことができる。
【００２１】
また、有色層１３を基材１２上に形成する範囲についても特に限定されることもなく基材１２上に適宜形成することができる。例えば、図１（ａ）に示すように有色層１３を基材１２上全面に形成することとしてもよく、基材１２上の一部に形成することとしてもよい。
【００２２】
さらに、図２（ａ）に示す複写用シートセット２９のように有色層１３を基材１２上に所定の間隔をあけて形成することとしてもよい。基材１２上に所定の間隔をあけて有色層１３を形成した場合には、加圧部１７を加圧することにより白色発泡層１４が透視可能となった際に、複写部１８のうち白色発泡層１４の下地層として有色層１３が形成された部分にのみ複写が行われる。このように有色層１３を形成した部分に応じて複写可能な領域が決定されることから、例えば、９桁の個人情報記入欄を複写する複写用シートセットにおいて先頭３桁及び末尾３桁記入部分に対応する部分にのみ有色層１３を形成すれば、複写する側の複写用シート１１に「０００１１１２２２」と記入した場合であっても、複写される側の複写用シート１０には「０００ＸＸＸ２２２」（ＸＸＸは非表示）としか複写されず、個人情報保護等にも有用に活用することができる。また、有色層１３を数μｍ程度の間隔をあけて基材１２上に連続形成した場合には白色発泡層１４を加圧することで、複写部１８に容易に微細なドット状の複写を行うことができる。
【００２３】
また、有色層１３を万線状や網点状に形成した場合には、白色発泡層１４を加圧することで複写部１８に地紋状の複写を行うことができる。このように、本発明の複写用シート２９によれば、複写用シート２９を構成する有色層１３の形成パターンに応じて、様々なパターンでの複写を行うことができる。
【００２４】
また、図３（ａ）、図３（ｂ）に示すように、基材１２上に連続または所定の間隔をあけて２種以上の色彩の異なる第１有色層１５及び第２有色層１６を形成してもよい。なお、図３（ａ）は、複写される側の複写用シート１０の断面図を、図３（ｂ）は、加圧後の複写用シート１０をＸ方向からみた図を示す。図３（ａ）に示すように、基材１２上に所定の間隔をあけ第１有色層１５と第１有色層とは色彩が異なる第２有色層１６を形成し、第１有色層１５が形成された範囲内に文字Ａ記入し、第２有色層が形成されている範囲内に文字Ｃを記入した場合には、図３（ｂ）に示すように、複写する側の複写用シート１１への記入時の加圧により複写される側の複写用シート１０上にそれぞれの有色層に対応した色彩で文字Ａ、文字Ｃを複写することが可能となる。このように、基材上１２に色彩の異なる複数の有色層を、複写を希望するパターンに応じて形成することで、被複写シート１０における複数色の発色を容易に行うことができる。  
【００２５】
有色層１３を形成する方法についても従来公知の方法を適宜選択して基材１２上に形成することができる。例えば、フレキソ印刷機、オフセット印刷機、グラビア印刷機、活版印刷機、凹版印刷機、熱転写プリンタ、レーザープリンタ、ドットプリンタ、ＩＪプリンタ等による有色層１３の形成方法挙げられる。
【００２６】
白色発泡層１４は、基材１２又は有色層１３上に形成され、加圧されるまで白色を維持することで有色層１３を視認させず、白色発泡層１４が加圧によりつぶされることで透視可能となり、初めて加圧部１７に対応する有色層１３を視認可能させ、複写される側の複写用シート１０への複写を可能せしめるために設けられる層である。つまり、白色発泡層１３は加圧されることにより該加圧された加圧部１７が透視可能となる点に特徴を有し、このような機能を奏することができる白色発泡層１４であれば従来公知の白色発泡層を適宜選択して用いることができる。このような白色発泡層１４として例えば、変性スチレン・アクリルからなる中空粒子エマルションや熱膨張性カプセルが挙げられる。
【００２７】
変性スチレン・アクリルからなる中空粒子エマルションは、粒子内部に空隙を有し、粒子内部の空気層とポリマー層との屈折率の差による光散乱により加圧前は白色を有するが、加圧により粒子がつぶされることで粒子内の空気層とポリマー層との屈折率が変化し透視可能となる性質を有する。
【００２８】
また、熱可塑性樹脂からなる外殻に発泡剤を内包してなる熱膨張性カプセルは、発泡剤が発泡している状態では白色を有するが、加圧により発泡している発泡剤がつぶされることで、発泡剤の屈折率が変化するとともに光散乱がなくなり透視可能となる性質を有する。
【００２９】
このように、変性スチレン・アクリルからなる中空粒子エマルションや熱膨張性カプセルは、加圧前は白色を有し、加圧をすることではじめて透視可能となるという性質を有することから本発明の複写用シートを構成する白色発泡層１４として好適に用いることができる。
【００３０】
上述したように、白色発泡層１４は、加圧前は有色層１３を視認可能とせず、加圧することで透視可能となり加圧部１８に対応する有色層１３を視認可能とするために設けられる層であることから、白色発泡層１３を形成する範囲は、複写を希望する有色層１３上に形成することで足り有色層１３の全面に形成してもよく、有色層１３の一部に形成してもよい。
【００３１】
また、変性スチレン・アクリルからなる中空粒子エマルション及び熱膨張性カプセルの双方を用いて白色発泡層１４を形成してもよく、いずれか一方を用いて白色発泡層１４を形成してもよい。
【００３２】
また、白色発泡層１４の加圧前には下地層である有色層１３を視認できないようにする必要があり、このような点を考慮すると、白色発泡層１４の厚みは５μｍ以上であることが好ましく、１０μｍ以上であることがより好ましい。
【００３３】
また、白色発泡層１４を形成する方法についても、基材１２又は有色層１３上に白色発泡層１４を形成することができれば、従来公知のいかなる方法を用いてもよい。例えば、グラビアリバース方式、ディップコート方式、スプレーコート方式、ダイコート方式、エアナイフコート方式、ブレードコート方式等による各種形成方法が挙げられる。
【００３４】
また、白色発泡層１４上に保護層を形成することとしてもよい（図示しない）。保護層を形成することで白色発泡層１４の耐擦過性を向上させ、白色発泡層１４が複写前に何らかの接触により透視可能となることを効果的に防止することができる。このような保護層として、シリコーンワックス、ポリエチレンワックス、カルナウバワックス等の剥離性成分を含む保護層や、ＵＶ硬化膜やＥＢ硬化膜からなる保護層が挙げられる。また、白色発泡層１４に剥離性成分を添加することにより白色発泡層１４自体に保護層としての機能を持たせることとしてもよい。
【００３５】
また、複数枚の複写用シートを重ねることにより複写用シートセットを形成し、最表面に複写する側の複写シート１１を設け、それ以外の少なくとも１の複写用シートを本発明の複写される側の複写用シート１０とすることとしてもよい。
【００３６】
また、有色層１３をそれぞれ異なるパターンで配した複写用シート１０を複数枚重ねることにより複写用シートセットを形成してもよい。このように有色層１３がそれぞれ異なるパターンで形成された複写用シート１０を重ね合わせた本発明の複写用シートセットによれば、複写する側の複写用シート１１に記入した情報が複写されるか否かは白色発泡層１４の下地層として有色層１３が形成されているかにより決定されこととなる。したがって、複写用シート１０毎に複写させる内容を異ならせることが可能となり、個人情報の保護等が要求される銀行等の記入用紙等にも本発明の複写用シートセットを好適に用いることができる。
【実施例】
【００３７】
本発明の複写用シートを実施例を用いてさらに具体的に説明する。
【００３８】
基材１２として一般上質紙＜７０＞を用い、基材１２上に一般印刷用インキを用いた有色層１３をフレキソ印刷機にて１μｍの厚みとなるように形成し、有色層１３上に、変性スチレン・アクリルからなる中空粒子エマルションを白色発泡層１４としてグラビアリバース方式にて１５μｍの厚みとなるように形成することにより、複写用シート１０を形成した。なお、白色発泡層１４として日本ゼオン株式会社性のＭＨ５０５５（固形分３０％、平均粒系５００Ｎｍ、ＰＨ８．５）を用いた。
【００３９】
形成した複写用シート１０の上に複写する側の複写用シート１１として上質紙＜５５＞を重ね、上質紙＜５５＞上から筆圧計３００ｇ、４００ｇ、５００ｇにて記入を行い、複写用シート１０への複写を行った。
【００４０】
筆圧計３００ｇ、４００ｇ、５００ｇのいずれの圧力で記入を行った場合であっても、白色発泡層１４は加圧により透視可能となり、加圧１８に対応する有色層１３を鮮明に発色させることができ、鮮明な複写文字を得ることができた。
【図面の簡単な説明】
【００４１】
【図１】白色発泡層を有する複写用シートセット
【図２】所定の間隔をあけて有色層が形成された複写用シートセット
【図３】色彩の異なる複数の有色層が形成された複写用シートセット
【図４】カーボンインキを有する複写用シートセット
【図５】発色剤を有する複写用シートと顕色剤を有する被複写式シートからなる複写用シートセット
【符号の説明】
【００４２】
１０、４０、５０…複写される側の複写用シート
１１、４１、４２…複写する側の複写用シート
１２…基材
１３…有色層
１４…白色発泡層
１５…第１有色層
１６…第２有色層
１７、４７、５７…加圧部
１８、４８、５８…複写部
１９、２９、４９、５９…複写用シートセット
４２…カーボンインキ
５５…発色剤を含むマイクロカプセル層
５６…顕色剤を含む層
【図１】
2009226668.tif 000003
【図２】
2009226668.tif 000004
【図３】
2009226668.tif 000005
【図４】
2009226668.tif 000006
【図５】
2009226668.tif 000007